【手続補正書】
【提出日】平成27年7月7日(2015.7.7)
【手続補正１】
【補正対象書類名】特許請求の範囲
【補正対象項目名】全文
【補正方法】変更
【補正の内容】
【特許請求の範囲】
【請求項１】
タッチ入力を受け取るように構成されるタッチスクリーンを含む限られたディスプレイデバイスを使用してスプレッドシートの式を入力する方法であって、
数式バー内への式の入力を開始するための入力を決定するステップと、
前記入力に応答して、限られたディスプレイデバイス上に表示するために、利用可能な式から式のリストを決定するステップと、
前記限られたディスプレイデバイス上に前記式のリストを表示するステップと、
前記表示された式のリスト中の式の選択を受け取るステップと、
前記式の選択を受け取ることに応答して、前記式のリストの表示を除去し、前記数式バー内に前記選択された式及び関連するパラメーターを表示するステップと、
前記数式バー内で前記表示された式の第１のパラメーターを強調表示するステップと、
ソフトウェア入力パネル（ＳＩＰ）及びタッチ入力のうちの少なくとも１つを使用して前記式のパラメーターの値の入力を受け取るステップと、
前記第１のパラメーターの値の入力を受け取ると、前記数式バー内の前記表示された式の第２のパラメーターを自動的に強調表示するステップであって、その結果、強調表示されると、値を、前記数式バー内の前記表示された式の前記第２のパラメーターの代わりに入力することができ、前記式の各パラメーターが入力されるまで、前記式の各々の連続するパラメーターが自動的に強調表示され、強調表示されると各々の連続するパラメーターの代わりに値を入力することができる、ステップと
を含む方法。
【請求項２】
前記ソフトウェア入力パネル（ＳＩＰ）及び前記タッチ入力のうちの少なくとも１つを使用して前記式のパラメーターの値の入力を受け取るステップは、前記パラメーターの値を設定するために使用される前記タッチ入力を使用して、前記限られたディスプレイデバイス上に表示されるスプレッドシートのセルのマルチセル選択を受け取るステップを含む請求項１に記載の方法。
【請求項３】
前記マルチセル選択は前記パラメーターの値を設定するために使用される範囲を指定する請求項２に記載の方法。
【請求項４】
次の文字：−、＋、％、＆、（、）、／、：、＾、＜、＞、＄、”を含む文字が前記ＳＩＰの単一のスクリーン上に表示されるように前記ＳＩＰを構成するステップをさらに含む請求項１に記載の方法。
【請求項５】
式編集モードを終了する前に前記式の各々のオプションでないパラメーターが正しく入力されていることを判定するために前記式の入力を確認するステップと、パラメーターが正しく入力されていない場合に、前記式の表示を含む前記数式バー内に警告メッセージを提供するステップとをさらに含む請求項１に記載の方法。
【請求項６】
前記式の表示を含む前記数式バー内にパラメーターツールチップを表示するステップをさらに含む請求項１に記載の方法。
【請求項７】
前記数式バー内にパラメーターツールチップを表示するステップは、前記式中のパラメーターが強調表示又は選択されることに応答して生じる請求項６に記載の方法。
【請求項８】
前記数式バー内にパラメーターツールチップを表示するステップは、パラメーターが入力されていないとの判定に応答して生じる請求項６に記載の方法。
【請求項９】
選択されるとスプレッドシートの選択されたセルのサマリー情報を表示するクイックサムオプションを、前記数式バー内に表示するステップをさらに含む請求項１に記載の方法。
【請求項１０】
タッチ入力を受け取るように構成されたタッチスクリーンを含む限られたディスプレイデバイスを使用してスプレッドシートの式を入力するためのコンピューター実行可能命令を有する、信号を含まないコンピューター読み取り可能なデバイスであって、
数式バー内で入力を受け取ることに応答して、限られたディスプレイデバイス上に式のリストを表示するステップと、
前記表示された式のリスト内の式のタッチ選択を受け取るステップと、
前記式の選択を受け取ることに応答して、前記式のリストの表示を除去し、前記数式バー内に前記選択された式及び関連するパラメーターを表示するステップと、
前記数式バー内の前記表示された式の第１のパラメーターを強調表示するステップと、
ソフトウェア入力パネル（ＳＩＰ）及びタッチ入力のうちの少なくとも１つを使用して、前記式の前記第１のパラメーターの値の入力を受け取るステップと、
前記第１のパラメーターの値の入力を受け取ると、前記数式バー内の前記表示された式の第２のパラメーターを自動的に強調表示するステップであって、その結果、強調表示されると、値を、前記数式バー内の前記表示された式の前記第２のパラメーターの代わりに入力することができ、前記式の各パラメーターが入力されるまで、前記式の各々の連続するパラメーターが自動的に強調表示され、強調表示されると各々の連続するパラメーターの代わりに値を入力することができる、ステップと
を含むコンピューター読み取り可能なデバイス。
【請求項１１】
スプレッドシートの式を入力するシステムであって、
ディスプレイと、
タッチ入力を受け取るように構成されるタッチ面と、
プロセッサー、及び信号を含まないコンピューター読み取り可能なデバイスと、
前記コンピューター読み取り可能なデバイス上に格納されて前記プロセッサ上で実行される動作環境と、
前記動作環境の制御下で動作する式マネージャーであって、
次の文字：−、＋、＊、（、）、／、：、＾、＜、＞、＄、”がソフトウェア入力パネル（ＳＩＰ）の単一のスクリーン上で表示される前記ＳＩＰを使用して式内で入力を受け取ることに応答して、限られたディスプレイデバイス上に式のリストを表示し、
前記表示された式のリスト中の式のタッチ選択を受け取り、
前記式の選択を受け取ることに応答して、前記式のリストの表示を除去し、前記数式バー内に前記選択された式及び関連するパラメーターを表示し、
前記数式バー内の前記表示された式の第１のパラメーターを強調表示し、
前記パラメーターの値を設定するために使用される前記タッチ入力を使用して、前記限られたディスプレイデバイス上に表示されるスプレッドシートのセルのマルチセル選択を受け取ることを含む、タッチ入力デバイスから前記式の前記第１のパラメーターの値の入力を受け取り、
前記第１のパラメーターの値の入力を受け取ると、前記数式バー内の前記表示された式の第２のパラメーターを自動的に強調表示し、その結果、強調表示されると、値を、前記数式バー内の前記表示された式の前記第２のパラメーターの代わりに入力することができ、前記式の各パラメーターが入力されるまで、前記式の各々の連続するパラメーターが自動的に強調表示され、強調表示されると各々の連続するパラメーターの代わりに値を入力することができる
ように動作する、式マネージャーと
を備えるシステム。
【請求項１２】
式編集モードを終了する前に前記式の各々のオプションでないパラメーターが正しく入力されていることを判定するために前記式の入力を確認することと、パラメーターが正しく入力されていない場合に、前記式の表示を含む前記数式バー内に警告メッセージを提供することとをさらに含む請求項１１に記載のシステム。
【請求項１３】
前記式内のパラメーターが強調表示されること、前記式内のパラメーターが選択されること及びパラメーターが入力されていないとの判定のうちの少なくとも１つに応答して、前記式の表示を含む前記数式バー内にパラメーターツールチップを表示することをさらに含む請求項１１に記載のシステム。